(57)【要約】【課題】部品点数の増加や組み立て工数の増加を招くことなく、発光素子と導光体とを位置決めできるようにする。【解決手段】イメージセンサユニット１ａは、光を発する発光部を有する光源２と、光源２の発光部が発する光を被照明体Ｐに向けて出射する導光体３ａとを有し、導光体３ａの所定の面には凹部３２３が設けられており、光源２の発光部は凹部３２３に嵌まり込んでいるとともに、導光体３ａには弾性変形可能な付勢部３２７が一体に設けられており、光源２は付勢部３２７によって所定の面に向けて付勢されている。【選択図】図５Ａ
2017225083.tif 000002
【特許請求の範囲】
【請求項１】
光を発する発光部を有する光源と、
前記光源の発光部が発する光を被照明体に向けて出射する導光体と、
前記被照明体からの光を電気信号に変換するイメージセンサと、
を有し、
前記導光体の所定の面には凹部が設けられており、前記光源の前記発光部は前記凹部に嵌まり込んでいるとともに、
前記導光体には弾性変形可能な付勢部が一体に設けられており、前記光源は、前記付勢部によって前記所定の面に向けて付勢されていることを特徴とするイメージセンサユニット。
【請求項２】
前記被照明体に向ける側を上側とした場合に、前記光源の発光部が発する光の方向視において、前記導光体には、前記光源の左右を覆う側壁部が一体に設けられていることを特徴とする請求項１に記載のイメージセンサユニット。
【請求項３】
前記側壁部に挟まれた領域は、少なくとも下側が開口していることを特徴とする請求項２に記載のイメージセンサユニット。
【請求項４】
前記付勢部は、前記側壁部に設けられていることを特徴とする請求項２または３に記載のイメージセンサユニット。
【請求項５】
光を発する発光部を有する光源と、
前記光源の発光部が発する光を被照明体に向けて出射する導光体と、
前記光源と前記導光体とが収容されている筐体と、
を有し、
前記光源の前記発光部は前記導光体の所定の面に接触しており、
前記筐体には弾性変形可能な付勢部が一体に設けられており、前記光源は、前記付勢部によって前記所定の面に向けて付勢されていることを特徴とするイメージセンサユニット。
【請求項６】
前記被照明体に向ける側を上側とした場合に、前記光源の発光部が発する光の方向視において、前記導光体には、前記光源の左右および上側を覆う側壁部が一体に設けられていることを特徴とする請求項５に記載のイメージセンサユニット。
【請求項７】
イメージセンサユニットと、
前記イメージセンサユニットと紙葉類である被照明体とを相対的に移動させながら、前記被照明体からの光を読み取る画像読取手段と、
前記被照明体の真贋を識別する識別手段と、
を備える紙葉類識別装置であって、
前記イメージセンサユニットは、請求項１から６のいずれか１項に記載のイメージセンサユニットであることを特徴とする紙葉類識別装置。
【請求項８】
イメージセンサユニットと、
前記イメージセンサユニットと被照明体とを相対的に移動させながら、前記被照明体からの光を読取る画像読取手段と、
を備える画像読取装置であって、
前記イメージセンサユニットは、請求項１から６のいずれか１項に記載のイメージセンサユニットであることを特徴とする画像読取装置。
【請求項９】
イメージセンサユニットと被照明体とを相対的に移動させながら、前記被照明体からの反射光を読取る画像読取手段と、
記録媒体に画像を形成する画像形成手段と、
を備える画像形成装置であって、
前記イメージセンサユニットは、請求項１から６のいずれか１項に記載のイメージセンサユニットであることを特徴とする画像形成装置。
【発明の詳細な説明】
【技術分野】
【０００１】
本発明は、イメージセンサユニット、紙葉類識別装置、画像読取装置、画像形成装置に関する。
【背景技術】
【０００２】
紙葉類識別装置や画像読取装置などに適用されるイメージセンサユニットは、発光素子と、発光素子が発する光を線状化（線光源化）して被照明体に向けて出射する導光体とを有するものがある。このような導光体は、一般的に細長い棒状の部材であり、その長手方向の端面に光源が発する光を入射させる光入射面が設けられており、側面に被照明体に向けて光を出射する光出射面３１２が設けられている。そして、導光体はイメージセンサユニットの筐体（たとえばフレーム）に、光出射面を被照明体の側に向けられて組み付けられているとともに、発光素子は導光体の光入射に向けて光を照射できるように組み付けられている。
【０００３】
このような構成においては、発光素子と導光体との間に隙間が存在したり、発光素子と導光体の光入射面とがずれていたりすると、漏れ光が生じるなどして導光体に入射する光が減少する。そこで、発光素子を導光体の光入射面に対して位置決めして組み付けられる構成であることが好ましい。発光素子と導光体とを位置決めする構成として、特許文献１には、導光体を覆うケースの端部に弾発部を設け、この弾発部によって発光素子を導光体の光入射面に圧接する構成が開示されている。さらに、導光体に設けられるピンを発光素子にカシメることにより、導光体と発光素子とを固定する構成が開示されている。また、特許文献２には、発光素子と導光体をそれぞれフレームに位置決めすることにより、発光素子と導光体とを位置決めする構成が開示されている。
【０００４】
しかしながら、特許文献１に記載の弾発部を用いる構成では、導光体を覆うカバーが必要になるため、イメージセンサユニットの部品点数が増加する。また、導光体にピンを設けてカシメる構成では、カシメの工程が必要になるため、組み立て工数が増加して生産コストの上昇を招く。特許文献２に記載の構成では、フレームの製造誤差による発光素子と導光体との位置精度には改善の余地がある。
【先行技術文献】
【特許文献】
【０００５】
【特許文献１】特開２００４−１４６８７０号公報
【特許文献２】特開２０１２−１２９９４７号公報
【発明の概要】
【発明が解決しようとする課題】
【０００６】
上述した実情に鑑み、本発明が解決しようとする課題は、光源と導光体とを有するイメージセンサユニットにおいて、部品点数の増加や組み立て工数の増加を招くことなく、光源の発光部と導光体とを位置決めできるようにすることである。
【課題を解決するための手段】
【０００７】
前記課題を解決するため、本発明は、光を発する発光部を有する光源と、前記光源の発光部が発する光を被照明体に向けて出射する導光体と、前記被照明体からの光を電気信号に変換するイメージセンサと、を有し、前記導光体の所定の面には凹部が設けられており、前記光源の前記発光部は前記凹部に嵌まり込んでいるとともに、前記導光体には弾性変形可能な付勢部が一体に設けられており、前記光源は、前記付勢部によって前記所定の面に向けて付勢されていることを特徴とする。
【発明の効果】
【０００８】
本発明によれば、光源を導光体の光入射面に付勢して接触させる付勢部が導光体またはフレームに一体に設けられているため、部品点数の増加を招かない。また、カシメなどの工程が必要ないため、組み立て工数の増加を招かない。そして、付勢部によって光源の発光部が導光体の光入射面に付勢して接触する状態に維持される。
【図面の簡単な説明】
【０００９】
【図１】図１は、第１の実施形態に係るイメージセンサユニットの構成例を模式的に示す分解斜視図である。
【図２】図２は、第１の実施形態に係るイメージセンサユニットの構成例を模式的に示す分解斜視図である。
【図３】図３は、第１の実施形態に係るイメージセンサユニットの構成例を模式的に示す外観斜視図である。
【図４Ａ】図４Ａは、導光体の光入射部の構成例を模式的に示す外観斜視図である。
【図４Ｂ】図４Ｂは、導光体の光入射部の構成例を模式的に示す部分断面図である。
【図４Ｃ】図４Ｃは、導光体の光入射部の構成例を模式的に示す下面図である。
【図５Ａ】図５Ａは、光源が導光体の光入射部に保持されている状態を模式的に示す上面図である。
【図５Ｂ】図５Ｂは、光源が導光体の光入射部に保持されている状態を模式的に示す断面図である。
【図６】図６は、第２の実施形態に係るイメージセンサユニットの構成例を模式的に示す分解斜視図である。
【図７】図７は、第２の実施形態に係るイメージセンサユニットの構成例を模式的に示す外観斜視図である。
【図８Ａ】図８Ａは、導光体の光入射部の構成例を模式的に示す斜視図である。
【図８Ｂ】図８Ｂは、フレームの主走査方向の端部（上面視における短辺）に設けられている付勢部の構成例を模式的に示す部分断面図である。
【図９Ａ】図９Ａは、光源の発光素子が導光体の光入射部に位置決めされている状態を模式的に示す上面図である。
【図９Ｂ】図９Ｂは、光源の発光素子が導光体の光入射部に位置決めされている状態を模式的に示す断面図である。
【図１０】図１０は、紙葉類識別装置の要部の構成を模式的に示す図である。
【図１１】図１１は、紙葉類識別装置の要部の構成を模式的に示す図である。
【図１２】図１２は、紙葉類識別装置の要部の構成を模式的に示す図である。
【図１３】図１３は、フラットベッド方式のスキャナーの構成を示す斜視図である。
【図１４】図１４は、シートフィード方式のスキャナーの構成を示す断面模式図である。
【図１５】図１５は、画像形成装置の外観斜視図である。
【図１６】図１６は、画像形成装置の内部に設けられている画像形成部を示した斜視図である。
【発明を実施するための形態】
【００１０】
以下、本発明を適用できる各実施形態について、図面を参照して詳細に説明する。本発明の実施形態では、イメージセンサユニットと、このイメージセンサユニットが適用された紙葉類識別装置、画像読取装置および画像形成装置を示す。各図においては、イメージセンサユニットの三次元の各方向を、Ｘ、Ｙ、Ｚの各矢印で示す。Ｘ軸方向は主走査方向であり、Ｙ軸方向は副走査方向であり、Ｚ軸方向は上下方向である。なお、上下方向については、使用の際に被照明体に向ける側を上側とし、その反対側を下側とする。また、本発明において、「光」とは、可視光のみならず、赤外線や紫外線など、可視光以外の波長域の電磁波も含むものとする。
【００１１】
本発明の各実施形態に係るイメージセンサユニットは、副走査方向に相対的に移動する被照明体（読取対象物）に向けて光を照射し、被照明体からの光によって、被照明体の画像を読取る。また、本発明の各実施形態に係るイメージセンサユニットは、被照明体の反射読取りと透過読取りの両方式に対応している。そして、２基のイメージセンサユニットを対向して配置することによって、被照明体の透過読取りと両面の反射読取りが可能である。
【００１２】
＜イメージセンサユニット（第１の実施形態）＞
（全体構成）
まず、第１の実施形態に係るイメージセンサユニット１ａの全体構成の例について、図１〜図３を参照して説明する。図１と図２は、第１の実施形態に係るイメージセンサユニット１ａの構成例を模式的に示す分解斜視図である。なお、図１は斜め上側から見た図であり、図２は斜め下側から見た図である。図３は、第１の実施形態に係るイメージセンサユニット１ａの構成例を模式的に示す外観斜視図である。図１〜図３に示すように、イメージセンサユニット１ａは、光源２と、導光体３ａと、集光体１１と、集光体保持部材１２と、主回路基板１３と、主回路基板保持部材１４と、イメージセンサユニット１ａの筐体の例であるフレーム１５ａとを有する。
【００１３】
光源２は、光を発する発光部を有する。本発明の実施形態では、光源２は、所定の配線パターンが設けられている配線板２１と、この配線板２１に実装されている発光素子２２とを有する。このような構成においては、発光素子２２が光を発する発光部として機能する。発光素子２２には、例えば、赤（Ｒ）と緑（Ｇ）と青（Ｂ）と赤外線（Ｉｒ）と紫外線（ＵＶ）の各波長域の光を発する表面実装型のＬＥＤが適用できる。なお、発光素子２２（発光部）が発する光の波長域は、読取り対象である被照明体Ｐの画像の種類などに応じて適宜設定されるものであり、特に限定されない。例えば、発光素子２２は、赤（Ｒ）と緑（Ｇ）と青（Ｂ）の波長域の光を発するＬＥＤが適用される構成であってもよい。また、配線板２１は、発光素子２２を実装するためのパッドと、主回路基板１３に接続するためのパッドとを有している。ただし、配線板２１は、発光素子２２を実装でき主回路基板１３に接続できる構成であればよく、具体的な構成は限定されない。
【００１４】
導光体３ａは、光源２の発光素子２２（発光部）が発する光を線状化（線光源化）して外部（被照明体Ｐ）に向けて出射する光学部材である。導光体３ａは、主走査方向に長い棒状の本体部３１と、本体部３１の主走査方向（長手方向）の端部に設けられている光入射部３２ａとを有する。図１〜図３においては、導光体３ａの主走査方向の一方の端部に光入射部３２ａが設けられている構成を示すが、両方の端部に設けられている構成であってもよい。導光体３ａは、例えばアクリル系の樹脂材料などといった透明な材料により一体に形成されている。
【００１５】
導光体３ａの光入射部３２ａは、光源２の発光素子２２が発する光を入射させる凹部３２３を有するとともに、光源２の発光素子２２を位置決めした状態に保持できるように構成されている。凹部３２３は、光入射面として機能する。なお、導光体３ａの光入射部３２ａの構成例については後述する。
【００１６】
導光体３ａの本体部３１には、光入射部３２ａの凹部３２３（光入射面）から入射した光を拡散させる光拡散面３１１と、入射した光を被照明体Ｐの読取ラインＯ（図１０〜１２参照）に向けて出射する光出射面３１２とが設けられている。
【００１７】
光出射面３１２は、導光体３ａの本体部３１の側面に設けられている面であり、主走査方向に長い形状を有する。光出射面３１２の主走査方向の長さは、イメージセンサユニット１ａが対応する被照明体Ｐの幅（主走査方向寸法）に応じて設定される。例えば、Ａ３サイズの被照明体Ｐに対応する構成であれば、光出射面３１２の長さは、Ａ３サイズの被照明体Ｐの幅に応じた寸法に設定される。そして、光出射面３１２は、被照明体Ｐの読取ラインＯに向けて光を出射できる形状を有する、例えば、主走査方向視において被照明体Ｐの読取ラインＯに向かって膨出するような曲面に形成されている。
【００１８】
光拡散面３１１も、光出射面３１２と同様に、導光体３ａの本体部３１の側面に形成される面であり、主走査方向に細長い形状を有する。なお、光拡散面３１１は、光出射面３１２の反対側に設けられている。光拡散面３１１には、入射した光を拡散させるための拡散パターンが設けられている。このような拡散パターンとしては、例えば、光を乱反射する塗料により印刷されたドットパターンなどが適用される。
【００１９】
集光体１１は、被照明体Ｐからの光（反射光や透過光）をイメージセンサ１３２（後述）の受光面に結像させる（集光する）光学部材である。集光体１１には、例えば、ロッドレンズアレイが適用される。ロッドレンズアレイは、主走査方向に直線状に並べて配置された複数の正立等倍結像型の結像素子（ロッドレンズ）を有している。なお、集光体１１は、主走査方向に直線状に配列される複数の結像素子を有する構成であればよい。例えば、結像素子の列の数は限定されず、結像素子が複数列配列されていてもよい。集光体１１には、各種マイクロレンズアレイなど、公知の各種の結像機能（集光機能）を有する光学部材が適用できる。
【００２０】
主回路基板１３は、主走査方向に長い配線板１３１と、この配線板１３１の上面に設けられているイメージセンサ１３２と、この配線板１３１の下面に設けられているコネクタ１３３とを有する。また、主回路基板１３の配線板１３１の主走査方向（長手方向）の端部（短辺）には、光源２の配線基板と接続するための配線パターン（たとえばパッド）が設けられている。
【００２１】
イメージセンサ１３２は、集光体１１により結像した光を電気信号に変換して出力する。イメージセンサ１３２は、集光体１１から受光できるように、受光面を上側に向けて設けられている。イメージセンサ１３２には、例えば、イメージセンサＩＣアレイが適用される。イメージセンサＩＣアレイは、複数のイメージセンサＩＣが主回路基板１３の配線板１３１の上面に主走査方向に直線状に並べて実装されることによって形成される。それぞれのイメージセンサＩＣは、イメージセンサユニット１ａの読取りの解像度（主走査方向の画素数）に応じた複数の受光素子（光電変換素子と称することもある）を有する。このように、イメージセンサ１３２は、主走査方向に直線状に配列される複数の受光素子を有する。なお、イメージセンサ１３２は、複数の受光素子が主走査方向に直線状に配列される構成であればよく、それ以外の構成は特に限定されない。例えば、受光素子を有する複数のイメージセンサＩＣが千鳥状に配列される構成であってもよく、複数列配列される構成であってもよい。また、イメージセンサ１３２を形成するイメージセンサＩＣには、公知の各種イメージセンサＩＣが適用できる。
【００２２】
コネクタ１３３は、主回路基板１３と外部とを電気的に接続するために設けられている。このコネクタ１３３の構成は特に限定されるものではなく、公知の各種コネクタが適用できる。
【００２３】
フレーム１５ａは、イメージセンサユニット１ａの筐体の例である。フレーム１５ａは、例えば、全体として主走査方向に長い直方体状の形状を有しており、遮光性を有する材料により一体に形成されている。このような材料としては、黒色に着色されたポリカーボネートが適用できる。
【００２４】
フレーム１５ａには、導光体／光源収容室１５１と、集光体収容室１５４と、主回路基板収容室１５５とが設けられている。導光体／光源収容室１５１は、導光体３ａと光源２とが収容される領域である。集光体収容室１５４は、集光体１１が収容される領域である。主回路基板収容室１５５は、主回路基板１３が収容される領域である。
【００２５】
導光体／光源収容室１５１は、導光体３ａの本体部３１を収容する第１の領域１５２と、導光体３ａの光入射部３２ａおよび光源２を収容する第２の領域１５３とを有する。第１の領域１５２は、主走査方向に長く上側が開口する溝状の領域である。第２の領域１５３は、第１の領域１５２の主走査方向の外側であって、フレーム１５ａの主走査方向の端部近傍に設けられている領域である。第２の領域１５３は、第１の領域１５２と一体に繋がっている。また、第２の領域１５３は、フレーム１５ａを上下方向に貫通しており、主回路基板収容室１５５と一体に繋がっている。なお、図１〜図３に示すように、導光体３ａの主走査方向の一方の端部にのみ光入射部３２ａが設けられている場合には、第２の領域１５３は、第１の領域１５２の主走査方向の一方の端部にのみ設けられている。ただし、導光体３ａの主走査方向の両方の端部に光入射部３２ａが設けられている場合には、第１の領域１５２の主走査方向の両方の端部に第２の領域１５３が設けられている。
【００２６】
集光体収容室１５４は、集光体１１を収容する領域であり、主走査方向に長く上側が開口する溝状の領域である。なお、導光体／光源収容室１５１の第１の領域１５２の長手方向と集光体収容室１５４の長手方向は互いに平行であり、かつ、主走査方向に平行である。
【００２７】
主回路基板収容室１５５は、主回路基板１３を収容する領域であり、主走査方向に長く下側が開口する溝状の領域である。主回路基板収容室１５５は、集光体収容室１５４の下側、すなわち、上下方向視において集光体収容室１５４に重畳する位置に設けられている。また、集光体収容室１５４と主回路基板収容室１５５との間には、集光体１１により集光された光が通過する光路が設けられている。この光路は、集光体収容室１５４と主回路基板収容室１５５とを繋ぐ主走査方向に長いスリット状の貫通孔が適用される。集光体１１により集光された光は、この光路を通過して、主回路基板１３の上面に設けられているイメージセンサ１３２の受光面に入射する。
【００２８】
このほか、フレーム１５ａには、後述する集光体保持部材１２を係止するための所定の数の集光体保持部材係止部１６２と、主回路基板保持部材１４を係止するための所定の数の主回路基板保持部材係止部１６３とが設けられている。集光体保持部材係止部１６２は、例えば、上下方向に貫通する開口部が適用される。また、所定の数の集光体保持部材１２は、集光体収容室１５４に副走査方向に隣接するように設けられている。主回路基板保持部材係止部１６３は、フレーム１５ａの下面から両側面にかけて設けられている凹部が適用される。さらに、フレーム１５ａには、後述する紙葉類識別装置５ａ〜５ｃや画像読取装置や画像形成装置９に取り付けるための取付部１６４などが設けられている。取付部１６４は、フレーム１５ａを紙葉類識別装置５ａ〜５ｃや画像読取装置（スキャナー７ａ，７ｂ）や画像形成装置９に取り付けることができる構成であればよく、具体的な構成は限定されない。
【００２９】
集光体保持部材１２は、集光体１１をフレーム１５ａに保持する部材である。集光体保持部材１２は、集光体１１の上面を押さえる押さえ部１２１と、フレーム１５ａに係止する係止部１２２とを有している。主回路基板保持部材１４は、主回路基板１３をフレーム１５ａに保持する部材である。主回路基板保持部材１４は、主回路基板１３の下面を押さえる押さえ部１４２と、フレーム１５ａに係止する係止部１４３とを有している。なお、集光体保持部材１２は、集光体１１を上側から付勢して押さえることができ、かつ、その状態を保持できる構成であればよく、具体的な構成は限定されない。同様に、主回路基板保持部材１４は、主回路基板１３を下側から付勢して押さえることができ、かつ、その状態を保持できる構成であればよく、具体的な構成は限定されない。集光体保持部材１２と主回路基板保持部材１４には、公知の各種構成が適用できる。
【００３０】
このほか、イメージセンサユニット１ａは、フレーム１５ａの上側を覆うフレームカバーを有していてもよい。フレームカバーは、少なくとも光路（導光体３ａの光出射面３１２から出射された光の経路および被照明体Ｐからの光の経路）となる部分が透明な部材である。なお、フレームカバーは、全体が透明であってもよく、光路となる部分のみが透明であってもよい。フレームカバーには、例えば、アクリルなどの透明な樹脂材料の板や、ガラス板などが適用される。フレームカバーは、フレーム１５ａに収容される各部材を保護する機能や、フレーム１５ａの内部に塵埃などの異物が侵入することを防止する機能や、被照明体Ｐが紙葉類である場合に被照明体Ｐを平面に保持する機能などを有する。なお、イメージセンサユニット１ａが、フラットベッドスキャナなどといった、フレームカバーの機能を有する他の部材（例えば、プラテンガラスなど）を有する装置に組み込まれる場合には、フレームカバーが設けられない構成であってもよい。
【００３１】
（イメージセンサユニットの組み付け）
次いで、イメージセンサユニット１ａの組み付け構成について説明する。導光体３ａは、フレーム１５ａの上側から導光体／光源収容室１５１に収容される。具体的には、導光体３ａの本体部３１は導光体／光源収容室１５１の第１の領域１５２に収容され、光入射部３２ａは第２の領域１５３に収容される。フレーム１５ａには、導光体３ａを保持する所定の数の導光体保持部１６１が一体に設けられている。それぞれの導光体保持部１６１は弾性変形可能な舌片状の構成を有しており、導光体３ａが導光体／光源収容室１５１に収容されると、導光体保持部１６１はある程度弾性変形した状態で、導光体３ａの本体部３１の側面と上面の一部に接触する。そして、導光体／光源収容室１５１に収容された導光体３ａは、弾性変形した導光体保持部１６１の弾性力（復元力）によって、導光体／光源収容室１５１に位置決めされた状態で保持される。なお、導光体保持部１６１は、導光体３ａの本体部３１を保持可能な構成であればよく、具体的な構成は限定されない。
【００３２】
光源２は、導光体／光源収容室１５１の第２の領域１５３に、主走査方向の中心側に向かって（換言すると、反対側の端部に向かって（以下同様））光を発する向きで収容される。すなわち、発光素子２２の光を発する面が主走査方向の中心側を向き、発光素子２２が発する光の方向が主走査方向と平行になるように収容される。そして、光源２の配線板２１の発光素子２２が実装されている部分は、導光体３ａの光入射部３２ａにより位置決めされた状態に保持される。なお、光源２を保持する構成については後述する。
【００３３】
集光体１１は、フレーム１５ａの上側から集光体収容室１５４に収容される。そして、その上側から集光体保持部材１２がフレーム１５ａに取り付けられる。集光体保持部材１２がフレーム１５ａに取り付けられると、集光体１１の上面の一部が、集光体保持部材１２の押さえ部１２１により上側から押さえられる。これにより、集光体１１は、集光体収容室１５４に位置決めされた状態で保持される。
【００３４】
主回路基板１３の上面には複数のイメージセンサＩＣが実装され、実装された複数のイメージセンサＩＣによりイメージセンサ１３２が形成される。また、主回路基板１３の下面にはコネクタ１３３が実装される。そして、主回路基板１３は、フレーム１５ａの下側から主回路基板収容室１５５に収容される。さらにその下側から、主回路基板保持部材１４がフレーム１５ａに取り付けられる。これにより、主回路基板１３は、主回路基板保持部材１４によって、主回路基板収容室１５５に位置決めされた状態で保持される。そして、導光体／光源収容室１５１の第２の領域１５３に収容されている光源２の配線板２１と主回路基板１３の配線板１３１とは、ハンダ付けなどによって、電気的に接続されるとともに機械的に接合される。
【００３５】
（導光体の光入射部）
次に、図４Ａ〜図４Ｃを参照して、導光体３ａの光入射部３２ａの構成例について説明する。図４Ａは、導光体３ａの光入射部３２ａの構成例を模式的に示す外観斜視図である。図４Ｂは、導光体３ａの光入射部３２ａの構成例を模式的に示す部分断面図である。図４Ｃは、導光体３ａの光入射部３２ａの構成例を模式的に示す下面図である。光入射部３２ａは、導光体３ａの主走査方向の端部に、本体部３１と一体に設けられている。光入射部３２ａは、前壁部３２１と、側壁部３２５と、後壁部３２６と、付勢部３２７とを有している。そして、光入射部３２ａは、上側および下側が開口しており、上側および下側からその内部に光源２の一部（特に、発光部の例である発光素子２２が実装されている部分）を挿入可能である。
【００３６】
前壁部３２１は、本体部３１の主走査方向の端部に直接に繋がっている部分である。前壁部３２１における主走査方向の外側を向く面（以下、「端側面３２２」と称する）は、所定の面の例である。この端側面３２２には、光源２の発光素子２２を嵌め込むことができる凹部３２３が設けられている。この凹部３２３の底面が、光源２の発光素子２２が発する光を入射させる光入射面である。なお、凹部３２３の端側面３２２からの深さは、発光素子２２の厚さ（配線板２１からの突出寸法）よりも小さい。また、図４Ａと図Ｂにおいては、凹部３２３の下側がふさがっていない構成（下側が開口している構成）である例を示す。そして、凹部３２３の上側には、主走査方向の外側に向かって突出する係止突起３２４が設けられている。係止突起３２４は、凹部３２３に嵌め込まれた発光素子２２の上下方向の位置決めをするために設けられている。このような構成であると、発光素子２２が凹部３２３に嵌まり込むことによって、発光素子２２の副走査方向の移動は凹部３２３の内壁面によって規制され、上方向の移動は凹部３２３の上縁および係止突起３２４によって規制される。したがって、発光素子２２が導光体３ａに対して副走査方向および上下方向に位置決めされる。
【００３７】
側壁部３２５は、主走査方向視において前壁部３２１の左右両辺に設けられており、前壁部３２１から主走査方向の外側に向かって突出する。そして、一方の側壁部３２５の先端部には弾性変形可能な付勢部３２７が設けられており、他方の側壁部３２５の先端部には後壁部３２６が設けられている。付勢部３２７は、前記一方の側壁部３２５の先端部から対向する前記他方の側壁部３２５の側に向かって突出する舌片状の構成を有しており、主走査方向に弾性的に曲げ変形可能である。付勢部３２７の先端部であって主走査方向中心側の面には、主走査方向の中心側（換言すると、主走査方向の反対側の端部の側）に向かって突出する押さえ突起３２８が設けられている。この押さえ突起３２８は、主走査方向視において、凹部３２３に重畳する位置に設けられている。そして、凹部３２３の底面から押さえ突起３２８までの距離は、光源２の配線板２１と発光素子２２の厚さの和（すなわち、光源２の発光素子２２が設けられている位置における主走査方向寸法）よりも小さい。後壁部３２６は、前記他方の側壁部３２５の先端部から対向する前記一方の側壁部３２５の側に向かって突出する板状の構成を有している。このため、光入射部３２ａには、前壁部３２１と左右の側壁部３２５と付勢部３２７と後壁部３２６とに囲まれた領域であって、光源２の一部（発光素子２２が実装されている部分）を収容可能な領域が形成される。なお、前壁部３２１の上辺と下辺には側壁部３２５に相当する構造物は設けられていない。このため、光源２の一部を収容可能な領域は、上側および下側が開口しており、上側および下側から光源２を挿入可能である。
【００３８】
（光源の位置決め）
次に、光源２の発光素子２２と導光体３ａの位置決めについて、図５Ａと図５Ｂを参照して説明する。図５Ａは、光源２が導光体３ａの光入射部３２ａに保持されている状態を模式的に示す上面図である。図５Ｂは、図５Ａから光源２と導光体３ａを抜き出して示したＶＢ−ＶＢ線断面図であり、光源２が導光体３ａの光入射部３２ａに保持されている状態を模式的に示す断面図である。図５Ａに示すように、光源２の発光素子２２が設けられる部分は、前壁部３２１と左右の側壁部３２５と付勢部３２７と後壁部３２６とに囲まれた領域に収容される。このため、光源２の配線板２１が、左右の側壁部３２５に挟まれた状態で保持される。そして、図５Ａに示すように、光源２は、発光素子２２が実装される側が端側面３２２に対向し、発光素子２２が端側面３２２に設けられている凹部３２３に嵌まり込んだ状態で光入射部３２ａに保持されている。この状態では、光源２の発光素子２２が発する光の向きは、主走査方向に平行である。また、前述のとおり、凹部３２３の底面から押さえ突起３２８までの距離は、光源２の発光素子２２が設けられている部分の主走査方向寸法よりも小さい。このため、光源２が前壁部３２１と側壁部３２５と後壁部３２６と付勢部３２７とに囲まれる領域に挿入されると、付勢部３２７は主走査方向の外側に向かって弾性変形し、その弾性力（復元力）によって光源２を端側面３２２に向けて付勢する。また、凹部３２３の端側面３２２からの深さは、発光素子２２の配線板２１からの突出寸法よりも小さい。このため、発光素子２２の主走査方向中心側の面（光を発する面）が、光入射面である凹部３２３の底面に接触した状態となる。このように、導光体３ａに一体に設けられている付勢部３２７の弾性力によって、光源２の発光素子２２が凹部３２３の底面（光入射面）に接触した状態に位置決めされる。
【００３９】
このため、例えばイメージセンサユニット１ａの各部が熱膨張や収縮するなどして寸法が変化した場合であっても、発光素子２２と凹部３２３との間に隙間が生じることが防止される。このため、漏れ光の発生を防止することができ、導光体３ａに入射する光が減少しないようにできる。そして、第１の実施形態によれば、発光素子２２を凹部３２３に対して位置決めした状態に保持するための付勢部３２７が、導光体３ａに一体に設けられている。このような構成であると、発光素子２２を凹部３２３に対して位置決めするために別の部材を用いなくてよいから、部品点数と組み立て工数が増加しない。また、光源２を光入射部３２ａに収容することによって自動的に位置決めされから、位置決めのための工程を新たに追加しなくてもよい。
【００４０】
（イメージセンサユニットの動作）
ここで、イメージセンサユニット１ａの動作について説明する。被照明体Ｐを読取る際には、光源２は各色および赤外線の発光素子２２を順次点灯する。発光素子２２が発する光は、導光体３ａの光入射面である凹部３２３からその内部に入射し、光拡散面３１１において拡散するなどしてその内部を伝搬する。導光体３ａの内部を伝搬した光は、導光体３ａの光出射面３１２から線状化されて被照明体Ｐの読取ラインＯ（図１０〜１２参照）に向けて出射する。被照明体Ｐの読取ラインＯからの反射光は、集光体１１によってイメージセンサ１３２の受光面に結像する。イメージセンサ１３２は、集光体１１によって結像した光学像を検出して電気信号に変換する。そして、イメージセンサユニット１ａは、被照明体Ｐに光を照射して反射光を検出する動作を、被照明体Ｐと副走査方向に相対的に移動しながら、短時間で周期的に繰り返す。イメージセンサユニット１ａは、このような動作によって、被照明体Ｐに設けられる所定のパターン（例えば、ホログラム）を可視光画像として読取る。さらに、被照明体Ｐの赤外線画像を読取るとともに、被照明体Ｐに設けられる蛍光物質による蛍光を紫外線画像として読取る。
【００４１】
＜イメージセンサユニット（第２の実施形態）＞
（全体構成）
次に、第２の実施形態に係るイメージセンサユニット１ｂの構成例について説明する。第２の実施形態は、光源２を導光体３ｂに付勢する付勢部１７１がフレーム１５ｂに一体に設けられている形態である。なお、第１の実施形態と共通の構成には第１の実施形態と同じ符号を付し、説明を省略する。
【００４２】
図６は、第２の実施形態に係るイメージセンサユニット１ｂの構成例を模式的に示す分解斜視図である。図７は、第２の実施形態に係るイメージセンサユニット１ｂの構成例を模式的に示す外観斜視図である。図６と図７に示すように、第２の実施形態に係るイメージセンサユニット１ｂは、光源２と、導光体３ｂと、集光体１１と、集光体保持部材１２と、主回路基板１３と、主回路基板保持部材１４と、イメージセンサユニット１ｂの筐体の例であるフレーム１５ｂとを有する。光源２と、集光体１１と、集光体保持部材１２と、主回路基板１３と、主回路基板保持部材１４とは、第１の実施形態と共通の構成が適用できる。また、導光体３ｂの本体部３１も、第１の実施形態と共通の構成が適用できる。
【００４３】
図８Ａは、導光体３ｂの光入射部３２ｂの構成例を模式的に示す斜視図である。光入射部３２ｂは、板状またはブロック状の構成を有している。また、主走査方向視における光入射部３２ｂの幅（副走査方向の寸法）は、本体部３１の幅よりも大きい。そして、光入射部３２ｂの主走査方向の外側の面が、光源２の発光素子２２の光を入射させる光入射面３３１となる。さらに、光入射部３２ｂには、主走査方向視において光入射面３３１の左右両辺と上辺に沿って、主走査方向の外側に突出する囲い突起３３２が一体に設けられている。なお、光入射面３３１の下辺には囲い突起３３２が設けられない。このように、光入射面３３１は、主走査方向視において左右両側と上側の三方を囲い突起３３２により囲まれている。なお、囲い突起３３２の突出寸法は、発光素子２２の配線板２１からの突出寸法よりも小さい寸法に設定される。そして、囲い突起３３２に囲まれた領域に、光源２の発光素子２２を嵌め込むことができる。
【００４４】
図８Ｂは、フレーム１５ｂの主走査方向の端部（上面視における短辺）に設けられている付勢部１７１の構成例を模式的に示す部分断面図である。図８Ｂに示すように、フレーム１５ｂの主走査方向の端部には、主走査方向に弾性変形可能な付勢部１７１が設けられている。例えば、フレーム１５ｂの主走査方向の端部には、上側が開口する凹部が設けられている。そして、この凹部の底面から上側に突出する舌片状の付勢部１７１が、フレーム１５ｂに一体に設けられている。付勢部１７１の先端（上端）であって主走査方向の中心側の面には、主走査方向の中心側に向かって突出する押さえ突起１７２が設けられている。このような構成の付勢部１７１は、先端側（上端側）が主走査方向に弾性的に曲げ変形可能である。
【００４５】
また、導光体／光源収容室１５１の第２の領域１５３の内周面のうち、主走査方向の外側を向く面は、導光体３ｂの光入射部３２ｂが係止するが光入射部係止面１６５となる。
【００４６】
（発光素子の位置決め）
次に、発光素子２２と導光体３ｂの光入射面３３１との位置決めについて、図９Ａと図９Ｂを参照して説明する。図９Ａは、光源２の発光素子２２が導光体３ｂの光入射部３２ｂに位置決めされている状態を模式的に示す上面図である。図９Ｂは、図９ＡのＩＸＢ−ＩＸＢ線断面図であり、光源２の発光素子２２が導光体３ｂの光入射部３２ｂに位置決めされている状態を模式的に示す断面図である。
【００４７】
図９Ａと図９Ｂに示すように、導光体／光源収容室１５１の第１の領域１５２に導光体３ｂの本体部３１が収容されており、第２の領域１５３には導光体３ｂの光入射部３２ｂと光源２が収容されている。この状態では、主走査方向視において、付勢部１７１に設けられている押さえ突起１７２と導光体３ｂの光入射面３３１とが重畳する。なお、光源２が設けられていない状態では、導光体３ｂの光入射面３３１と付勢部１７１の押さえ突起１７２との距離は、光源２の配線板２１と発光素子２２の厚さの和（すなわち、光源２の発光素子２２が設けられている位置における主走査方向寸法）よりも小さい。
【００４８】
そして、光源２の配線板２１に実装されている発光素子２２は、導光体３ｂの光入射部３２ｂの囲い突起３３２に囲まれた領域に嵌まり込んでおり、発光素子２２の光を発する面（主走査方向の中心側を向く面）は導光体３ｂの光入射部３２ｂの光入射面３３１に接触している。また、前述のとおり、導光体３ｂの光入射面３３１と付勢部１７１の押さえ突起１７２との距離は、光源２の配線板２１と発光素子２２の厚さの和よりも小さいから、光源２が収容されると、付勢部１７１は光源２に押されて主走査方向の外側に向かって弾性変形している。このため、光源２は、付勢部１７１の弾性力によって、導光体３ｂの光入射部３２ｂに向かって付勢される。この際、導光体３ｂの光入射部３２ｂが導光体／光源収容室１５１の光入射部係止面１６５に接触することにより、導光体３ｂの主走査方向の移動が規制される。そして、囲い突起３３２の突出寸法は発光素子２２の厚さよりも小さい。このため、光源２の配線板２１に実装されている発光素子２２は、付勢部１７１の弾性力（復元力）によって、導光体３ｂの光入射部３２ｂの光入射面３３１に付勢されて接触する状態に保持される。このように、第２の実施形態では、フレーム１５ｂに一体に設けられている付勢部１７１の弾性力によって、発光素子２２と導光体３ｂの光入射面３３１との間に隙間がない状態に保持される。
【００４９】
第２の実施形態によれば、光入射面３３１に対して光源２を位置決めするための付勢部１７１が、フレーム１５ｂに一体に設けられている。このような構成であっても、第１の実施形態と同様の効果を奏することができる。なお、第２の実施形態に係るイメージセンサユニット１ｂの動作は、第１の実施形態と同じである。
【００５０】
＜紙葉類識別装置＞
次に、イメージセンサユニットが適用された紙葉類識別装置について、図１０〜図１２を参照して説明する。図１０〜図１２は、紙葉類識別装置５ａ〜５ｃの要部の構成を模式的に示す図であり、主走査方向に直角な面での断面を示す図である。なお、図１０〜図１２においては、紙葉類識別装置５ａ〜５ｃに第１の実施形態に係るイメージセンサユニット１ａが適用される構成を示すが、第１と第２の実施形態に係るイメージセンサユニット１ａ，１ｂのいずれも適用できる。
【００５１】
紙葉類識別装置５ａ〜５ｃは、被照明体Ｐである紙幣などに光を照射するとともに、紙幣からの光を読取り、読取った光を用いて紙幣の種類や真贋の識別を行う。なお、紙葉類識別装置５ａ〜５ｃに適用されるイメージセンサユニット１ａ，１ｂの光源２の発光素子２２は、可視光と、赤外線と、紫外線とを発することができる。
【００５２】
図１０に示すように、紙葉類識別装置５ａは、イメージセンサユニット１ａ，１ｂと、紙幣を搬送する搬送ローラー５１と、コネクタ１３３に配線接続された識別手段としての画像識別部５２とを備える。そして、紙葉類識別装置５ａには、搬送ローラー５１によって紙幣を挟んでフレームカバーを介してイメージセンサユニット１ａ，１ｂ上を読取方向（副走査方向）に搬送するための搬送経路Ａが設定される。なお、集光体１１の上側（紙幣側）の焦点は、搬送経路Ａの上下方向の中央に設定される。
【００５３】
このような構成の紙葉類識別装置５ａの動作は、次のとおりである。紙葉類識別装置５ａに適用されたイメージセンサユニット１ａ，１ｂが、前述した動作によって、紙幣に設けられている所定のパターンを可視光画像として読取る。さらに、紙幣の赤外線画像を読取るとともに、紙幣の紫外線画像を読取る。その後、画像識別部５２は、予め用意された真券である紙幣に可視光線、赤外線および紫外線を照射することで得られた真券紙幣画像と、真贋判定時に判定対象となる紙幣の可視光画像、赤外線画像および紫外線画像とを比較することで、紙幣の真贋判定を行う。これは、真券である紙幣には、可視光下と赤外線下と紫外線下で得られる画像がそれぞれ異なるような領域が設けられているためである。なお、説明および図示を省略した部分については、従来の紙葉類識別装置と同じ構成が適用できる。また、画像識別部５２は主回路基板１３に設けられている構成であってもよい。
【００５４】
図１１に示す紙葉類識別装置５ｂは、透過光源装置５３をさらに有する。透過光源装置５３は、線状光源として発光素子５３１と導光体５３２とを有する。透過光源装置５３の発光素子５３１および導光体５３２には、イメージセンサユニット１ａ，１ｂに適用された発光素子２２および導光体３ａ，３ｂと同じ構成が適用できる。そして、図１１に示すように、透過光源装置５３は、イメージセンサユニット１ａ，１ｂに対向する位置に設けられ、紙幣に向けて光を照射する。特に、透過光源装置５３は、その導光体５３２の出射面から照射される光の光軸と、イメージセンサユニット１ａ，１ｂの集光体１１の光軸とが一致するように配設される。
【００５５】
このような構成の紙葉類識別装置５ｂの動作は、次のとおりである。イメージセンサユニット１ａ，１ｂに組み込まれた光源２および透過光源装置５３は、各色の可視光線、赤外線および紫外線の発光素子を順次点灯する。イメージセンサユニット１ａ，１ｂの導光体３ａ，３ｂから紙幣に照射された光（可視光、赤外線、紫外線）は、紙幣の表面で反射して集光体１１に入射し、イメージセンサ１３２の受光面に結像する。イメージセンサ１３２は、結像した光学像を電気信号に変換することによって、紙幣からの反射光による可視光画像と赤外線画像と紫外線画像との画像データを生成する。一方、透過光源装置５３から紙幣に照射された光は、紙幣を透過してイメージセンサユニット１ａ，１ｂの集光体１１に入射し、イメージセンサ１３２の受光面に結像する。イメージセンサ１３２は、結像した光学像を電気信号に変換することによって、紙幣からの透過光による可視光画像と赤外線画像と紫外線画像との画像データを生成する。
【００５６】
そして、イメージセンサユニット１ａ，１ｂの光源２および透過光源装置５３は、紙幣に光を照射して反射光と透過光を検出する動作を、短時間で交互に繰り返す。イメージセンサユニット１ａ，１ｂは、このような動作によって、紙幣に設けられている所定のパターン（例えば、ホログラム）を可視光画像として読取るとともに、紙幣の赤外線画像と紫外線画像を読取る。このような構成によれば、紙葉類識別装置５ｂは、紙幣の反射光および透過光による可視光画像と赤外線画像と紫外線画像とを読取ることができる。
【００５７】
図１２に示す紙葉類識別装置５ｃは、は、２基のイメージセンサユニット１ａ，１ｂを有する。図１２に示すように、２基のイメージセンサユニット１ａ，１ｂは、紙幣の搬送経路Ａを挟んで対向するように配設されている。そして、２基のイメージセンサユニット１ａ，１ｂは、一方のイメージセンサユニット１ａ，１ｂの導光体３ａ，３ｂの光出射面３１２から出射されて紙幣を透過した光が、他方のイメージセンサユニット１ａ，１ｂの集光体１１に入射するように配置されている。
【００５８】
このような構成の紙葉類識別装置５ｃの動作は、次のとおりである。２基のイメージセンサユニット１ａ，１ｂに組み込まれた光源２の発光素子２２は、各色の可視光線、赤外線および紫外線の発光素子を順次点灯する。一方のイメージセンサユニット１ａ，１ｂの導光体３ａ，３ｂの光出射面３１２から紙幣に照射された光は、紙幣の表面で反射して一方のイメージセンサユニット１ａ，１ｂの集光体１１に入射し、一方のイメージセンサユニット１ａ，１ｂのイメージセンサ１３２の受光面に結像する。一方のイメージセンサユニット１ａ，１ｂのイメージセンサ１３２は、結像した光学像を電気信号に変換することによって、紙幣からの反射光による可視光画像と赤外線画像と紫外線画像とを取得する。また、一方のイメージセンサユニット１ａ，１ｂの導光体３ａ，３ｂの光出射面３１２から紙幣に照射された光は、紙幣を透過して他方のイメージセンサユニット１ａ，１ｂの集光体１１に入射し、他方のイメージセンサユニット１ａ，１ｂのイメージセンサ１３２の受光面に結像する。他方のイメージセンサユニット１ａ，１ｂのイメージセンサ１３２は、結像した光学像を電気信号に変換することによって、紙幣からの透過光による可視光画像と赤外線画像と紫外線画像とを取得する。このような構成によれば、紙葉類識別装置５ｃは、紙幣の両面の反射画像を読取ることができるとともに、透過画像を読取ることができる。
【００５９】
なお、本実施形態においては、可視光線と赤外線と紫外線とを照射することで紙幣を可視光画像と赤外線画像と紫外線画像として読取る構成を示したが、この構成に限定されない。例えば、可視光と赤外線と紫外線のいずれか１種または２種を照射する構成であっても構わない。また、被照明体Ｐとして紙幣が適用される構成を示したが、紙葉類の種類は限定されるものではない。例えば、各種有価証券やＩＤカードなどについても読取ができる。
【００６０】
＜画像読取装置（その１）＞
図１３は、画像読取装置としてのフラットベッド方式のスキャナー７ａの構成を示す斜視図である。スキャナー７ａは、筺体７１ａと、被照明体載置部としてのプラテンガラス７２と、イメージセンサユニット１ａ，１ｂと、イメージセンサユニット１ａ，１ｂを駆動する駆動機構と、回路基板７３ａと、プラテンカバー７４とを有する。被照明体載置部としてのプラテンガラス７２は、ガラスなどの透明板からなり、筺体７１ａの上面に取り付けられている。プラテンカバー７４は、プラテンガラス７２に載置された被照明体Ｐを覆うように、筺体７１ａに対してヒンジ機構などを介して開閉可能に取付けられている。イメージセンサユニット１ａ，１ｂと、このイメージセンサユニット１ａ，１ｂを駆動するための駆動機構と、回路基板７３ａとは、筺体７１ａの内部に収容されている。なお、スキャナー７ａがプラテンガラス７２を有するため、イメージセンサユニット１ａ，１ｂはフレームカバーを有さなくてもよい。
【００６１】
駆動機構は、保持部材７５０と、ガイドシャフト７５１と、駆動モーター７５２と、ワイヤー７５４とを含む。保持部材７５０は、イメージセンサユニット１ａ，１ｂを囲むように保持する。ガイドシャフト７５１は、保持部材７５０をプラテンガラス７２に沿って読取方向（副走査方向）に移動可能にガイドする。駆動モーター７５２と保持部材７５０とはワイヤー７５４を介して連結されており、駆動モーター７５２の駆動力によってイメージセンサユニット１ａ，１ｂを保持する保持部材７５０を副走査方向に移動させる。そして、イメージセンサユニット１ａ，１ｂは、駆動モーター７５２の駆動力によって副走査方向に移動しながら、プラテンガラス７２に載置された被照明体Ｐである原稿などを読取る。このように、イメージセンサユニット１ａ，１ｂと被照明体Ｐとを相対的に移動させながら、被照明体Ｐを読取る。
【００６２】
回路基板７３ａには、イメージセンサユニット１ａ，１ｂが読取った画像に所定の画像処理を施す画像処理回路や、イメージセンサユニット１ａ，１ｂを含むスキャナー７ａの各部を制御する制御回路や、スキャナー７ａの各部に電力を供給する電源回路などが構築されている。
【００６３】
＜画像読取装置（その２）＞
図１４は、画像読取装置としてのシートフィード方式のスキャナー７ｂの構成を示す断面模式図である。図１４に示すように、スキャナー７ｂは、筺体７１ｂと、イメージセンサユニット１ａ，１ｂと、搬送ローラー７６と、回路基板７３ｂと、カバーガラス７７とを有する。搬送ローラー７６は、図示を省略した駆動機構によって回転し、被照明体Ｐを挟んで搬送する。カバーガラス７７は、イメージセンサユニット１ａ，１ｂの上側を覆うように設けられている。回路基板７３ｂには、イメージセンサユニット１ａ，１ｂを含むスキャナー７ｂの各部を制御する制御回路や、スキャナー７ｂの各部に電力を供給する電源回路などが構築されている。
【００６４】
そして、スキャナー７ｂは、搬送ローラー７６によって被照明体Ｐを読取り方向（副走査方向）に搬送しつつ、イメージセンサユニット１ａ，１ｂにより被照明体Ｐを読取る。すなわち、イメージセンサユニット１ａ，１ｂと被照明体Ｐとを相対的に移動させながら、被照明体Ｐを読取る。なお、図１４においては、被照明体Ｐの片面を読取るスキャナー７ｂの例を示すが、２つのイメージセンサユニット１ａ，１ｂが被照明体Ｐの搬送経路Ａを挟んで対向するように設けられ、被照明体Ｐの両面を読取る構成であってもよい。
【００６５】
以上、図１３と図１４を参照して、イメージセンサユニット１ａ，１ｂが適用された画像読取装置の例としてスキャナー７ａ，７ｂを説明したが、イメージセンサユニット１ａ，１ｂを用いた画像読取装置の構成や種類は、これらに限定されるものではない。
【００６６】
＜画像形成装置＞
次に、本発明の実施形態に係る画像形成装置９の構成例について、図１５と図１６を参照して説明する。本発明の実施形態に係る画像形成装置９には、本発明の実施形態に係るイメージセンサユニット１ａ，１ｂが適用されている。図１５は、本発明の実施形態に係る画像形成装置９の外観斜視図である。図１６は、本発明の実施形態に係る画像形成装置９の筺体９１の内部に設けられている画像形成部９２を抜き出して示した斜視図である。図１５と図１６に示すように、画像形成装置９は、フラットベッド方式のスキャナーとインクジェット方式のプリンタとの複合機（ＭＦＰ；Ｍｕｌｔｉｆｕｎｃｔｉｏｎ  Ｐｒｉｎｔｅｒ）である。画像形成装置９は、画像を読取る画像読取手段としての画像読取部９３と、画像を形成する画像形成手段としての画像形成部９２とを有する。そして、画像形成装置９の画像読取部９３には、イメージセンサユニット１ａ，１ｂが組み込まれる。なお、画像形成装置９の画像読取部９３は、前述の画像読取装置と共通の構成が適用できる。したがって、画像読取装置と共通の構成については説明を省略する。
【００６７】
図１５に示すように、画像形成装置９には、操作部９４が設けられている。操作部９４には、操作メニューや各種メッセージなどを表示する表示部９４１と、画像形成装置９を操作するための各種操作ボタン９４２が設けられている。また、図１６に示すように、画像形成装置９の筺体９１の内部には、画像形成部９２が設けられている。画像形成部９２は、搬送ローラー９２１と、ガイドシャフト９２２と、インクジェットカートリッジ９２３と、モーター９２６と、一対のタイミングプーリー９２７とを有する。搬送ローラー９２１は、駆動源の駆動力によって回転し、記録媒体としての印刷用紙Ｒを副走査方向に搬送する。ガイドシャフト９２２は棒状の部材であり、その軸線が印刷用紙Ｒの主走査方向に平行となるように画像形成装置９の筺体９１に固定されている。
【００６８】
インクジェットカートリッジ９２３は、ガイドシャフト９２２上をスライドすることによって、印刷用紙Ｒの主走査方向に往復動できる。インクジェットカートリッジ９２３は、例えば、シアンＣ、マゼンタＭ、イエローＹ、黒Ｋのインクを備えたインクタンク９２４（９２４Ｃ，９２４Ｍ，９２４Ｙ，９２４Ｋ）と、これらのインクタンク９２４にそれぞれ設けられた吐出ヘッド９２５（９２５Ｃ，９２５Ｍ，９２５Ｙ，９２５Ｋ）から構成されている。一対のタイミングプーリー９２７の一方は、モーター９２６の回転軸に取り付けられている。そして、一対のタイミングプーリー９２７は、印刷用紙Ｒの主走査方向に互いに離れた位置に設けられている。タイミングベルト９２８は、一対のタイミングプーリー９２７に平行掛けに巻き掛けられ、所定の箇所がインクジェットカートリッジ９２３に連結されている。
【００６９】
画像形成装置９の画像読取部９３は、イメージセンサユニット１ａ，１ｂが読取った画像を、印刷に適した形式の電気信号に変換する。そして、画像形成装置９の画像形成部９２は、画像読取部９３のイメージセンサユニット１ａ，１ｂが変換した電気信号に基づいて、搬送ローラー９２１、モーター９２６、インクジェットカートリッジ９２３を駆動し、印刷用紙Ｒに画像を形成する。このほか、画像形成装置９の画像形成部９２は、外部から入力された電気信号に基づいて画像を形成することができる。なお、画像形成装置９のうち、画像形成部９２の構成および動作は、従来公知の各種プリンタと同じ構成が適用できる。したがって、詳細な説明は省略する。なお、画像形成部９２としてインクジェット方式による画像形成装置を説明したが、電子写真方式、熱転写方式、ドットインパクト方式などどのような方式であっても構わない。
【００７０】
以上、本発明の実施形態について詳細に説明したが、前述の実施形態は、本発明を実施するにあたっての具体例を示したに過ぎない。本発明の技術的範囲は、前述の実施形態に限定されるものではない。本発明は、その趣旨を逸脱しない範囲において、種々の変更が可能である。
【００７１】
例えば、前記各実施形態では、主回路基板１３の保持に主回路基板保持部材１４を用い、集光体１１の保持に集光体保持部材１２を用いる構成を示したが、このような構成に限定されない。主回路基板１３は、熱カシメなどによってフレーム１５ａ，１５ｂに固定されている構成であってもよく、集光体１１は接着剤によりフレーム１５ａ，１５ｂに接着されている構成であってもよい。要は、主回路基板１３は主回路基板収容室１５５に、集光体１１は集光体収容室１５４に、それぞれ位置決めされた状態で収容されている構成であればよく、固定方法や固定構造は特に限定されない。
【００７２】
また、前記実施形態では、光源２が配線板２１とこの配線板２１に実装される発光素子２２を有する構成を示したが、光源２の構成はこのような構成に限定されない。例えば、光源２として、リードフレーム（端子）を有するＬＥＤなどが適用され、主回路基板１３に接続（実装）されている構成であってもよい。要は、光源２は、導光体３ａ，３ｂの凹部３２３の底面や光入射面３３１に向けて光を発する発光部を有する構成であればよい。
【００７３】
さらに、前記実施形態では、光源２が導光体３ａ，３ｂの主走査方向の一方の端部に設けられている構成を示したが、両方の端部に設けられている構成であってもよい。この場合には、導光体３ａ，３ｂの主走査方向の両方の端部に光入射部３２ａ，３２ｂが設けられ、第１の領域１５２の主走査方向の両側に導光体／光源収容室１５１の第２の領域１５３が設けられ、光源２は主回路基板１３の主走査方向の両方の端部に接続されている構成が適用される。
【００７４】
このほか、本発明の紙葉類識別装置、画像読取装置および画像形成装置は、前述の実施形態に記載される構成に限定されない。本発明の紙葉類識別装置、画像読取装置および画像形成装置は、本発明のイメージセンサユニットを有し、イメージセンサユニットと被照明体とが副走査方向に相対的に移動しながら被照明体を読取る構成であればよい。例えば、本発明のイメージセンサユニットが適用された複写機やファクシミリなどといった画像読取機能を有する装置も、本発明の画像読取装置に含まれる。
【産業上の利用可能性】
【００７５】
本発明は、光源および導光体を有するイメージセンサユニットと、このイメージセンサユニットが適用された紙葉類識別装置、画像読取装置および画像形成装置（例えば、イメージスキャナー、ファクシミリ、複写機、複合機など）に有効に利用できるものである。そして、本発明によれば、部品点数の増加や組み立て工数の増加を招くことなく、発光素子と導光体とを位置決めできる。
【符号の説明】
【００７６】
１ａ，１ｂ：イメージセンサユニット、２：光源、３ａ，３ｂ：導光体、３２３：凹部、３２７：付勢部
【図１】
2017225083.tif 000003
【図２】
2017225083.tif 000004
【図３】
2017225083.tif 000005
【図４Ａ】
2017225083.tif 000006
【図４Ｂ】
2017225083.tif 000007
【図４Ｃ】
2017225083.tif 000008
【図５Ａ】
2017225083.tif 000009
【図５Ｂ】
2017225083.tif 000010
【図６】
2017225083.tif 000011
【図７】
2017225083.tif 000012
【図８Ａ】
2017225083.tif 000013
【図８Ｂ】
2017225083.tif 000014
【図９Ａ】
2017225083.tif 000015
【図９Ｂ】
2017225083.tif 000016
【図１０】
2017225083.tif 000017
【図１１】
2017225083.tif 000018
【図１２】
2017225083.tif 000019
【図１３】
2017225083.tif 000020
【図１４】
2017225083.tif 000021
【図１５】
2017225083.tif 000022
【図１６】
2017225083.tif 000023